(57)【要約】【課題】人工肛門と人工膀胱をともに有する患者に対しても適切に対応することが可能なストーマ用安全ベルト及び組み合わせベルトを提供する。【解決手段】ストーマに取り付けられ、排泄物を収容する排泄物受け用ストーマ袋２３を収納するためのベルト２０であって、排泄物受け用ストーマ袋２３を収納するポケット部２１と、ポケット部２１に連設するベルト部２２とから構成されており、ポケット部２１には開口部２４が設けられているストーマ用安全ベルトである。【選択図】図６
2010284242.tif 000002
【特許請求の範囲】
【請求項１】
ストーマに取り付けられ、排泄物を収容する排泄物受け用袋（ストーマ袋）を収納するためのベルトであって、
前記排泄物受け用袋を収納するポケット部と、該ポケット部に連設するベルト部とから構成されており、該ポケット部には開口部が設けられていることを特徴とするストーマ用安全ベルト。
【請求項２】
該ポケット部に設けられる開口部は、該ポケット部の前面側下方部に、長さ３〜５ｃｍで線状に開口して形成されている請求項１に記載のストーマ用安全ベルト。
【請求項３】
請求項１又は２に記載のストーマ用安全ベルトと、
該ストーマ用安全ベルトのベルト部に嵌合し得る補助ベルトと
を備えた組み合わせベルトであって、
前記補助ベルトは、該ストーマ用安全ベルトのベルト部に嵌合する吊下げ部と、該吊下げ部に連設する補助ポケット部とから構成されており、該補助ポケット部には開口部が設けられていることを特徴とする組み合わせベルト。
【請求項４】
該補助ポケット部に設けられる開口部は、該補助ポケット部の前面側下方部に、長さ３〜５ｃｍで線状に開口して形成されている請求項３に記載の組み合わせベルト。
【発明の詳細な説明】
【技術分野】
【０００１】
本発明は、人工肛門や人工膀胱（以下、ストーマという）を造設した場合における精神的および肉体的苦痛を和らげ、安心して外出ができ行動範囲を広げることが可能なストーマを保護するためのストーマ用安全ベルト及び組み合わせベルトに関するものである。
【背景技術】
【０００２】
直腸癌や膀胱癌などにより肛門や膀胱を切除した人は、わき腹に人工肛門や人工膀胱（ストーマ）を造設する。このようなストーマを造設すると、肛門や尿道の働きのように排泄物をコントロールすることができなくなり、排泄物は垂れ流しの状態になるため、ストーマから排泄される排泄物を受け止めるストーマ袋をストーマに取り付ける必要がある。ストーマ袋を取り付け、日常生活に復帰する人は、疾病に対する不安・苦悩・悲嘆・失望などの精神的ショックからの克服に苦悶するばかりでなく、１００％の身体の自由がきかず、しかも排泄物の後始末など、人にいえない苦痛を抱えて生きているのが現状である。
【０００３】
従来、図４に示すように、手術による腸１の出口部に装着されるストーマ２に対して、ストーマ２に取付けられる排泄物受け用ストーマ袋３はそのジョイント部でワンタッチ式に接続され、またストーマ袋３の先端部（下端部）はクリップで止められているが、日常生活等において何らかの支障（外部からの衝撃や急な動作、取付け不備など）により排泄物受け用ストーマ袋３が外れたり、あるいは完全には外れなくとも排泄物が外部に滲み出ることがあり、このため、満員電車等による通勤が困難となるという問題があった。また、外部へ臭気が漏れたりすることのおそれにより、社会への復帰がおっくうになるという問題もある。
【０００４】
また、たとえ職場などに復帰したとしても、何の前触れもなく出る排泄物は、自ら手探りで確認し、出たと分ればその始末をする必要があり、捨てる場所を見出すことも容易ではなく、動作によっては漏れることも当然ながら起こり得る。さらに、排泄物が入ったストーマ袋は表側が透明であるため、このストーマ袋が腹部で垂下している状態は本人の精神的苦痛となる。
【０００５】
そこで、本発明者は、上記の課題を解決するために、図１〜図３に示すごとく、排泄物受け用ストーマ袋３を収納するポケット部１１を備えたストーマ袋用ベルト１０を提案した（特許文献１を参照）。
【０００６】
このストーマ袋用ベルト１０は、排泄物受け用袋３を収納するポケット部１１と、ポケット部１１に連設しポケット部１１を支えて人体のウエスト部に巻回して取付けられ、人体側に位置するベルト部１２とから構成されている。ポケット部１１の袋収納部１１ａ内部において、図２のように、受け用袋３の下端部を２〜３回折りこみ、挿入する。また、通常受け用袋３の下端部先端はクリップで止めて使用し、排泄物が所定量溜った段階で受け用袋３を袋収納部１１ａ内部から取り出し、受け用袋３から排泄物を抜き出し処理することになる。ベルト部１２の両端には、ウエスト部を巻回した状態で互いに係止するための係止部１３ａ、１３ｂが形成されている。
【０００７】
このストーマ袋用ベルトによれば、腸に連結している人工肛門からの排泄物受け用袋に対して好適に機能するが、一方、人工膀胱から排出される尿などの排泄物に対しては、特に何の配慮もしていない。すなわち、人工肛門と人工膀胱をともに有する患者にとっては、上記のストーマ袋用ベルトによっても、十分に対応しきれていない。
【先行技術文献】
【特許文献】
【０００８】
【特許文献１】特開平８−２２９０６０号公報
【発明の概要】
【発明が解決しようとする課題】
【０００９】
本発明は、上記した課題を解決するためになされたものであり、その目的とするところは、人工肛門と人工膀胱をともに有する患者に対しても適切に対応することが可能なストーマ用安全ベルト及び組み合わせベルトを提供することにある。
【課題を解決するための手段】
【００１０】
本発明によれば、ストーマに取り付けられ、排泄物を収容する排泄物受け用ストーマ袋を収納するためのベルトであって、前記排泄物受け用ストーマ袋を収納するポケット部と、該ポケット部に連設するベルト部とから構成されており、該ポケット部には開口部が設けられていることを特徴とするストーマ用安全ベルト、が提供される。
【００１１】
また、該ポケット部に設けられる開口部は、該ポケット部の前面側下方部に、長さ３〜５ｃｍで線状に開口して形成されていることが好ましい。
【００１２】
また、本発明によれば、上記のストーマ用安全ベルトと、該ストーマ用安全ベルトのベルト部に嵌合し得る補助ベルトとを備えた組み合わせベルトであって、前記補助ベルトは、該ストーマ用安全ベルトのベルト部に嵌合する吊下げ部と、該吊下げ部に連設する補助ポケット部とから構成されており、該補助ポケット部には開口部が設けられていることを特徴とする組み合わせベルト、が提供される。
【００１３】
また、該補助ポケット部に設けられる開口部は、該補助ポケット部の前面側下方部に、長さ３〜５ｃｍで線状に開口して形成されていることが好ましい。
【発明の効果】
【００１４】
本発明のストーマ用安全べルトによれば、人工肛門からの排泄物受け用袋を収納する必要がなく、人工膀胱からの排泄物受け用袋のみを収納することが求められる場合に、当該安全ベルトを胴周り方向に移動して（回して）、人工膀胱用のストーマに近接させ、排泄物（尿）受け用袋（尿用ストーマ袋）を収納することができる。そして、尿用ストーマ袋の下部に設けられている排出用チューブは、ポケット部に設けられている開口部を通してポケット部から外部に伸び、所定の場所に尿を排出することができる。
【００１５】
また、本発明の組み合わせベルトによれば、上記のストーマ用安全ベルトと、補助ベルトを備えており、人工肛門からの排泄物受け用ストーマ袋とともに、人工膀胱からの排泄物（尿）受け用袋（尿用ストーマ袋）を収納することが求められる場合に、ストーマ用安全ベルトのポケット部には排泄物受け用ストーマ袋を収納し、補助ベルトの補助ポケット部には尿受け用ストーマ袋を収納することができる。そして、尿受け用ストーマ袋の下部に設けられている排出用チューブは、補助ポケット部に設けられている開口部を通して補助ポケット部から外部に伸び、所定の場所に尿を排出することができる。
【図面の簡単な説明】
【００１６】
【図１】従来のストーマ袋用ベルトの一例を示す全体正面図である。
【図２】従来のストーマ袋用ベルトに受け用袋を収納した状態を示す断面図である。
【図３】従来のストーマ袋用ベルトを人体に取り付けた状態を示す説明図である。
【図４】排泄物受け用袋がストーマに取付けられた状態を示す説明図である。
【図５】ストーマ装着部と手術開口傷を示す説明図である。
【図６】本発明のストーマ用安全ベルトの一例を示す全体正面図である。
【図７】本発明の組み合わせベルトに用いる補助ベルトの一例を示す正面図である。
【図８】本発明の組み合わせベルトを示す説明図である。
【発明を実施するための形態】
【００１７】
次に、本発明の具体的な実施態様を図示例に基づいて説明するが、本発明は図示例に限定されるものではない。図５に示すように、一般的に、人工肛門からのストーマ造設部Ａは、人の左わき腹にあって、手術による傷口は腹部中央部Ｂになり、人工膀胱からのストーマ造設部Ｃは右わき腹にあって、手術による傷口は腹部右側部Ｄになる。また、従来は、図４のように、ストーマ２に排泄物受け用ストーマ袋３を取付けているのであるが、受け用ストーマ袋３を下げたままにするか、もしくは下着等の中にしまい込むようにしている。
【００１８】
図６は本発明のストーマ用安全ベルトの一例を示す全体正面図である。本発明のストーマ用安全ベルト２０は、排泄物受け用ストーマ袋２３を収納するポケット部２１と、ポケット部２１に連設しポケット部２１を支えて人体のウエスト部に巻回して取付けられ、人体側に位置するベルト部２２とから構成されており、ポケット部２１には開口部２４が設けられている。なお、３０ａ，３０ｂはそれぞれベルト部２２の両端に設けられた係止部である。
【００１９】
ポケット部２１は、排泄物受け用ストーマ袋２３を収納するものであり、ストーマ袋２３は約２９ｃｍの長さがあるので、ポケット部２１の袋収納部２１ａは約１５〜２０ｃｍ程度の深さとすることが使用上便利で、好ましい。通常、ストーマ袋２３の下端部先端はクリップで止めて使用し、排泄物が所定量溜った段階でストーマ袋２３を袋収納部２１ａ内部から取り出し、ストーマ袋２３から排泄物を抜き出し処理することになる。なお、ポケット部２１は、人のウエスト部（腹部）の表面丸みに適合させるため、丸み形状を有するように形成するか、あるいはポケット部２１をフレキシブルな、柔軟性を有する材質で構成することが好ましい。
【００２０】
図６に示す本発明のストーマ用安全ベルト２０においては、ポケット部２１に開口部２４が設けられており、この開口部２４は、ポケット部２１の前面側下方部に、長さ３〜５ｃｍで線状に開口して形成されていることが好ましい。人工肛門からの排泄物受け用ストーマ袋を収納する必要がなく、人工膀胱からの排泄物受け用ストーマ袋のみを収納することが求められる場合には、安全ベルト２０を胴周り方向（図６のＸ方向）に回して、人工膀胱用ストーマに近接させ、排泄物（尿）受け用ストーマ袋２５を収納することができる。そして、この開口部２４を通して、尿受け用ストーマ袋２５の下部に設けられている排出用チューブ２６は、ポケット部２１から外部に延びて、所定の場所に尿を排出することができる。
【００２１】
図７は、本発明の組み合わせベルトに用いる補助ベルトの一例を示す正面図であり、図８は、本発明の組み合わせベルトを示す説明図である。図7に示すように、補助ベルト４０は、その先端部に尿受け用ストーマ袋４５を収納する補助ポケット部４１と、本発明のストーマ用安全ベルト２０のベルト部２２に嵌合する吊下げ部４２を備えたものであり、補助ポケット部４１には開口部４３が設けられている。
【００２２】
図８は、この補助ベルト４０を、本発明のストーマ用安全ベルト２０のベルト部２２に挿嵌してなる組み合わせベルトを示しており、この組み合わせベルトによれば、人工肛門からの排泄物受け用ストーマ袋とともに、人工膀胱からの排泄物（尿）受け用ストーマ袋を収納することが求められる場合において、ストーマ用安全ベルト２０のポケット部２１には排泄物受け用ストーマ袋２１ａを収納し、補助ベルト４０の補助ポケット部４１には尿受け用ストーマ袋４５を収納することができる。そして、尿受け用ストーマ袋４５の下部に設けられている排出用チューブ４６は、補助ポケット部４１に設けられている開口部４３を通して補助ポケット部４１から外部に伸び、所定の場所に尿を排出することができる。
【００２３】
本発明の安全ベルト２０及び組み合わせベルトの材質は、特に限定はされず、綿、麻などに天然繊維や合成繊維のほか、合成樹脂、紙なども使用可能であるが、下腹部の保温機能を考慮すると、綿、麻などに天然繊維や合成繊維が好ましく、特に綿、麻などに天然繊維が望ましい。
【産業上の利用可能性】
【００２４】
本発明のストーマ用安全ベルト及び組み合わせベルトは、上記したように、人工肛門や人工膀胱を造設した場合における精神的および肉体的苦痛を和らげ、安心して外出ができ行動範囲を広げることができるため、医療及び介護の観点から極めて利用性が高いものである。
【符号の説明】
【００２５】
１…腸、２…ストーマ、３…排泄物受け用ストーマ袋、１０…ベルト、１１…ポケット部、１１ａ…袋収納部、１２…ベルト部、１３ａ，１３ｂ…係止部、２０…ストーマ用安全ベルト、２１…ポケット部、２２…ベルト部、２３…排泄物受け用ストーマ袋、２４…開口部、２５…排泄物（尿）受け用ストーマ袋、２６…排出用チューブ、３０ａ，３０ｂ…係止部、４０…補助ベルト、４１…補助ポケット部、４２…吊下げ部、４３…開口部、４５…尿受け用ストーマ袋、４６…排出用チューブ、Ａ…ストーマ造設部、Ｂ…腹部中央部、Ｃ…人工膀胱からのストーマ造設部、Ｄ…腹部右側部。
【図１】
2010284242.tif 000003
【図２】
2010284242.tif 000004
【図３】
2010284242.tif 000005
【図４】
2010284242.tif 000006
【図５】
2010284242.tif 000007
【図６】
2010284242.tif 000008
【図７】
2010284242.tif 000009
【図８】
2010284242.tif 000010